(57)【要約】【課題】組み立て紙箱において開閉天板を簡単かつ確実に係止できる係止構造を提供する。【解決手段】底板の四辺に前側板、後側板、左側板、右側板を設け、後側板の上端縁に開閉天板を設け、底板及び各側板に各側板及び各折り込み片を夫々折り込んで形成した直方体形状の組み立て紙箱において、開閉天板１４の前端縁に折り目を介して天板前縁片１５を設け、天板前縁片１５の略中央部に上向き略突型の切り込み１６を設け、前側板２の上部の略中央部に一定長の水平な貫通孔３を設け、組み立て紙箱Ａの組み立ての際、開閉天板１４を組み立て紙箱Ａの上面開口部に被せ、開閉天板１４の天板前縁片１５を前側板２の外側に垂下させ、天板前縁片１５の切り込み１６を押圧して切り込み片１６ａを天板前縁片１５の内側に突出させ、切り込み片１６ａを対向する前側板２の貫通孔３に対して下方から差し込んで係止する。【選択図】図４
0003127619.tif 000002
【実用新案登録請求の範囲】
【請求項１】
底板の四辺に折り目を介して前側板、後側板、左側板、右側板を設け、また、上記後側板の上端縁に折り目を介して開閉天板を設け、上記底板及び各側板に折り目を介して設けられた各側板及び各折り込み片を夫々の折り目により折り込んで形成した直方体形状の組み立て紙箱において、
上記開閉天板の前端縁に折り目を介して前縁片を設け、当該前縁片の略中央部に上向き略突型の切り込みを設け、上記前側板の上部の略中央部に一定長の水平な切り込みを設け、
当該組み立て紙箱の組み立ての際、上記開閉天板を当該組み立て紙箱の上面開口部に被せ、当該開閉天板の前縁片を上記前側板の外側に垂下させ、当該前縁片の切り込みを押圧して切り込み片を前縁片の内側に突出させ、当該切り込み片を、対向する当該前側板の切り込みに対して下方から差し込んで係止することを特徴とする、組み立て紙箱における開閉天板の係止構造。
【請求項２】
上記開閉天板の三方の各端縁に折り目を介して前縁片、左縁片及び右縁片を夫々設け、これらの各縁片を折り込んで当該開閉天板の三方に周縁壁を設けたことを特徴とする、上記請求項１に記載の組み立て紙箱における開閉天板の係止構造。
【請求項３】
上記前側板の切り込みに代えて横長の貫通孔を設けたことを特徴とする、上記請求項１又は２の何れかに記載の組み立て紙箱における開閉天板の係止構造。
【考案の詳細な説明】
【技術分野】
【０００１】
この考案は、洋菓子店等において、菓子等の持ち運びに使用される、開閉自在な天板を設けた組み立て紙箱における開閉天板の係止構造に関するものである。
【背景技術】
【０００２】
従来、洋菓子店において、ケーキなどの生菓子を販売する際、持ち運びに便利な紙製の組み立て紙箱を使用している。この様な組み立て紙箱は、保管の時には、嵩張らず、使用する際には、簡単に組み立てられるので便利である。
【０００３】
この様な紙箱として、例えば、底板の紙片に折り目を介して、前側板、後側板、左側板、右側板を設け、また、上記後側板の上端縁に折り目を介して開閉天板を設け、上記底板及び当該各側板に折り目を介して設けられた各側板及び各折り込み片を夫々の折り目により折り込んで形成した直方体形状の組み立て紙箱において、上記後側板の上端縁に折り目を介して開閉天板を設け、この開閉天板の先端縁に折り目を介して差し込み前縁片を設け、当該開閉天板と当該前側板の間の折り目の中央部に切り込みを設けて係止間隙を設けたものがある。
【特許文献１】実用新案登録第３０８８６３２号公報
【考案の開示】
【考案が解決しようとする課題】
【０００４】
しかしながら、この様な係止構造では、外側から衝撃を与えられると当該係止構造では、係止片が上方から差し込まれているだけなので、不用意に開閉天板が開いてしまうことがあった。開閉天板が開いてしまうと、保冷剤等で冷却した当該紙箱内の冷気を外部に排出して箱内の温度を上昇させて、中に収められたケーキ等に悪影響を与えることがあった。
【０００５】
そこで、この考案は、組み立て紙箱において開閉天板を簡単かつ確実に係止できる係止構造を提供するものである。
【課題を解決するための手段】
【０００６】
請求項１の考案は、底板の四辺に折り目を介して前側板、後側板、左側板、右側板を設け、また、上記後側板の上端縁に折り目を介して開閉天板を設け、上記底板及び各側板に折り目を介して設けられた各側板及び各折り込み片を夫々の折り目により折り込んで形成した直方体形状の組み立て紙箱におけるものである。
【０００７】
上記開閉天板の前端縁に折り目を介して前縁片を設け、当該前縁片の略中央部に上向き略突型の切り込みを設け、上記前側板の上部の略中央部に一定長の水平な切り込みを設け、当該組み立て紙箱の組み立ての際、上記開閉天板を当該組み立て紙箱の上面開口部に被せ、当該開閉天板の前縁片を上記前側板の外側に垂下させ、当該前縁片の切り込みを押圧して切り込み片を前縁片の内側に突出させ、当該切り込み片を、対向する当該前側板の切り込みに対して下方から差し込んで係止する組み立て紙箱における開閉天板の係止構造とした。
【０００８】
請求項２の考案は、上記開閉天板の三方の各端縁に折り目を介して前縁片、左縁片及び右縁片を夫々設け、これらの各縁片を折り込んで当該開閉天板の三方に周縁壁を設けた上記請求項１に記載の組み立て紙箱における開閉天板の係止構造とした。
【０００９】
請求項３の考案は、上記前側板の切り込みに代えて横長の貫通孔を設けた上記請求項１又は２の何れかに記載の組み立て紙箱における開閉天板の係止構造とした。
【考案の効果】
【００１０】
請求項１の考案によれば、上記開閉天板の前端縁に設けた前縁片に上向き略突型の切り込みを設け、開閉天板を当該組み立て紙箱の上面開口部に被せ、前縁片の切り込み片を対向する前側板の切り込みに対して下方から差し込んで係止することとしたので、開閉天板の係止固定が極めて簡単に行え、また、一旦係止固定された後は、例え、この開閉天板に対して外側から衝撃を与えられても、簡単に当該開閉天板が開くことが無く、ケーキ等を運ぶ紙箱として信頼性の高いものである。
【００１１】
また、開閉天板の前縁片に略突型の切り込み、及び前側板に切り込みを設けるだけなので、既存の紙箱であっても、容易に設けることが出来、汎用性の高いものである。
【００１２】
請求項２の考案によれば、上記開閉天板の三方の各端縁に折り目を介して前縁片、左縁片及び右縁片を夫々設け、これらの各縁片を折り込んで当該開閉天板の三方に周縁壁を設けたので、この紙箱の開口部周縁に開閉天板の周縁壁が被されるために、この紙箱内部をより効果的に閉鎖して開閉天板を係止することが出来る。
【００１３】
請求項３の考案によれば、上記前側板の切り込みに代えて横長の貫通孔を設けたので、開閉天板の前縁片に設けた略突型の切り込み片をより容易に差し込むことが出来、この紙箱の利便性をさらに高めるものである。
【考案を実施するための最良の形態】
【００１４】
底板の四辺に折り目を介して前側板、後側板、左側板、右側板を設け、また、上記後側板の上端縁に折り目を介して開閉天板を設け、上記底板及び各側板に折り目を介して設けられた各側板及び各折り込み片を夫々の折り目により折り込んで形成した直方体形状の組み立て紙箱におけるものである。
【００１５】
上記開閉天板の前端縁に折り目を介して前縁片を設け、当該前縁片の略中央部に上向き略突型の切り込みを設け、上記前側板の上部の略中央部に一定長の水平な切り込みを設け、当該組み立て紙箱の組み立ての際、上記開閉天板を当該組み立て紙箱の上面開口部に被せ、当該開閉天板の前縁片を上記前側板の外側に垂下させ、当該前縁片の切り込みを押圧して切り込み片を前縁片の内側に突出させ、当該切り込み片を、対向する当該前側板の切り込みに対して下方から差し込んで係止する。
【００１６】
これらにより、開閉天板の係止固定が極めて簡単に行え、また、一旦係止固定された後は、簡単に当該開閉天板が開くことが無い。
【実施例１】
【００１７】
以下、この考案の実施例の組み立て紙箱を図に基づいて説明する。
図１は、この紙箱であって開閉天板を開けた状態の斜視図であり、図２は、この組み立て紙箱の展開図である。この組み立て紙箱Ａ（以下、「紙箱Ａ」と言う。）は、図１及び図２に示すように、横長の直方体形状から成る。
【００１８】
この紙箱Ａは、図２に示すように、横長の長方形状の底板１の前端縁に折り目ａを介して前側板２を設け、この前側板上の前端縁側の個所の中央に横長の貫通孔３を設け、さらに、この前側板２の前端縁に折り目ｂを介して細幅の折り込み片４を設けている。
【００１９】
また、底板１の左端縁に折り目ｃを介して左外側板５を設け、この左外側板５の左端縁に折り目ｄを介して細幅の折り込み左側片６を設け、左外側板５の前端縁に折り目ｅを介して折り込み板７を設けている。また、底板１の右端縁に折り目ｆを介して右外側板８を設け、この右外側板８の右端縁に折り目ｇを介して細幅の折り込み右側片９を設け、右外側板８の前端縁に折り目ｈを介して折り込み板１０を設けている。
【００２０】
また、これらの左外側板５と右外側板８には、底板１の後端縁の折り目ｉの各端部から左外側板５及び右外側板８の外側角部に向けて対角線折り目ｊ、ｋを夫々設けている。さらに、各折り目ｃ、ｆの前側の位置に一定長の切り込み１１、１２を設け、後述する左内側板、右内側板を立設した際、当該左内側板、右内側板の各突部を挿入し係止するようになっている。
【００２１】
底板１の後端縁に折り目ｉを介して後側板１３を設け、この後側板１３の後端縁に折り目ｌを介して開閉天板１４を設け、この開閉天板１４の後端縁に折り目ｍを介して細幅の天板前縁片１５を設けている。また、この天板前縁片１５の中央部に横長凹型の切り込み１６を設けている（この紙箱Ａを組み立てた際には、この切り込みは横長の上向き突型となる）。
【００２２】
さらに、この天板前縁片１５の左右の各端縁に折り目ｎを介して略四角形状の折り込み舌片１７を夫々設け、開閉天板１４の左右の各端縁に折り目ｏ、ｐを介して天板左右縁片１８を夫々設けている。これらの天板左右縁片１８には、上記開閉天板１４の後端縁の折り目ｍの各端部からこれらの天板左右縁片１８の外側の端縁に向かって夫々傾斜折り目ｑを設け、さらに、当該各天板左右縁片１８の前端縁の外側の角を取って傾斜した端縁としている。
【００２３】
さらに、後側板１３の左右の各端縁に折り目ｒ、ｓを介して左内側板１９、右内側板２０を夫々設け、これらの左内側板１９、右内側板２０の前端縁の夫々外側の一部に突部１９ａ、２０ａを残して当該各前端縁を内側に一定長切り欠いている。また、底板１の後端縁の折り目ｉの中央部分に一定長の切り込み２１を設けている。
【００２４】
続いて、この紙箱Ａを組み立てる。
この紙箱Ａを各折り目により各側板及び上記各折り込み片等を夫々内側に折り込んで底板１の周囲の各端縁に左内側板１９、右内側板２０、左外側板５、右外側板８、前側板２、後側板１３を立設する。そして、左外側板５を外側にして左内側板１９と、また、右外側板８を外側にして右内側板２０とを夫々重ね合わせて、左外側板５の内面の上部（図２において折り目ｊの上部の斜線で示す。）と左内側板１９の外面の上部（図２において点線斜線で示す。）、及び右外側板８の内面の上部（図２において折り目ｋの上部の斜線で示す。）と右内側板２０の外面の上部（図２において点線斜線で示す。）を貼着する。
【００２５】
また、その際、左内側板１９の突部１９ａ及び右内側板２０の突部２０ａを夫々上記切り込み１１、１２に挿入し係止する。また、左外側板５及び右外側板８の前端縁の折り込み板７、１０を夫々折り目ｅ、ｈにより、前側板２の内側に折り込んでおく。
【００２６】
さらに、上記天板前縁片１５及び天板左右縁片１８を夫々開閉天板１４側に折り込み、当該開閉天板１４の左右の各天板左右縁片１８を外側にして、上記天板前縁片１５の左右の各折り込み舌片１７を夫々重ね合わせ、各折り込み舌片１７の外面の上部（図２において点線斜線で示す。）と当該各天板左右縁片１８の内面の上部（図２において折り目ｑの上部の斜線で示す。）を夫々貼着する。そして、天板前縁片１５及び天板左右縁片１８を夫々折り目ｍ、ｏ、ｐで折り込んで、開閉天板１４の三方の端縁に周縁壁２３を形成する。
【００２７】
この後、開閉天板１４を前側板２、左右側板１９、２０、後側板１３によって形成される開口部の上に折り込み、当該開口部の周縁に当該開閉天板１４の周縁壁２３を被せる。この様にして、紙箱Ａは組み立てられる。
【００２８】
図３は、紙箱Ａの前側板２の貫通孔３に天板前縁片１５の切りこみ片１６ａを下方から差し込んで係止した状態を示す一部正面図であり、図４は、図３におけるＡ−Ａ線断面図である。
この様に、この天板前縁片１５の切り込み１６を押圧して切り込み片１６ａを天板前縁片１５の内側に突出させ、この切り込み片１６ａを、対向する当該前側板２の貫通孔３に対して下方から差し込んで係止する。
【００２９】
また、この紙箱Ａを折り畳むには、上記左外側板５及び上記右外側板８の上記対角線折り目ｊ、ｋを夫々内側に折り込んで底板１上に左外側板５、左内側板１９、右外側板８及び右内側板２０を夫々折り込む。この時、左内側板１９、右内側板２０の各突部１９ａ、２０ａは、底板１の折り目ｉの切り込み２１の中に挿入される。また、これにより、後側板１３及び開閉天板１４も、左内側板１９、右内側板２０に引っ張られて折り畳まれる（図示省略）。
【００３０】
さらに、上記開閉天板１４の左右の天板左右縁片１８の上記傾斜折り目ｑを夫々内側に折り込んで当該各天板左右縁片１８、及び上記天板前縁片１５の左右の各折り込み舌片１７を開閉天板１４上に折り込みながら、底板１の後端縁の折り目ｉにより上記後側板１３及び上記開閉天板１４を底板１上に扁平に折り畳む構成としている（図示省略）。
【００３１】
なお、上記実施例において、天板前縁片１５に設ける上向き突型の切り込み１６（切り込み片１６ａ）として、横長のものを使用しているが、上向き突型の切り込み１６としては、これに限るものではなく、前側板２に設けた貫通孔３に容易に差し込むことが出来るものなら、どの様な上向き突型の切り込みでも良い。また、前側板２の前端縁側の個所の中央に横長の貫通孔３を設けているが、この貫通孔３に代えて一定長の水平な切り込みを設けてもよい。
【００３２】
また、天板前縁片１５及び天板左右縁片１８から成る周縁壁２３は必ずしも必要ではなく、切り込み１６を設ける個所として最低限天板前縁片１５を設けていればよい。
【図面の簡単な説明】
【００３３】
【図１】この考案の実施例の紙箱であって開閉天板を開けた状態の斜視図である。
【図２】この考案の実施例の紙箱の展開図である。
【図３】この考案の実施例の紙箱の開閉天板の係止構造を示す一部正面図である。
【図４】図３におけるＡ−Ａ線断面図である。
【符号の説明】
【００３４】
Ａ    紙箱
１    底板                              ２    前側板
３    貫通孔                          １３    後側板
１４    開閉天板                        １５    天板前縁片
１６    切り込み                        １６ａ  切り込み片
【図１】
0003127619.tif 000003
【図２】
0003127619.tif 000004
【図３】
0003127619.tif 000005
【図４】
0003127619.tif 000006